(57)【要約】【課題】プッシュ式の操作ボタンの復帰時のガタツキを防止することができる操作ボタンの高さ位置規制構造を提供する【解決手段】操作ボタン１のスライド部１２は、ベース２の収容部２１に上下方向に摺動可能に保持されている。スライド部１２の各外側面には、ボタン側規制部１２３が設けられている。一方、収容部２１の各内側面には、ベース側規制部２１３が設けられている。各ベース側規制部２１３は、対応するボタン側規制部１２３と上下方向で嵌合しており、双方の規制部１２３、２１３によって操作ボタン１の高さ位置規制構造が構成されている。【選択図】図７
2009152139.tif 000002
【特許請求の範囲】
【請求項１】
プッシュ式の操作ボタンのスライド部の外側面に設けられたボタン側規制部と、
前記スライド部を上下方向に摺動可能に保持するベースの収容部の内側面に設けられ、押し下げられた前記スライド部が元の高さ位置に戻る際に、前記ボタン側規制部と上下方向で当接して当該スライド部の動きを止めるベース側規制部と、
を備えている操作ボタンの高さ位置規制構造であって、
前記ボタン側規制部および前記ベース側規制部を上下方向で嵌合する形状に形成したことを特徴とする操作ボタンの高さ位置規制構造。
【請求項２】
嵌合時に接触する前記ボタン側規制部の左右側面と前記ベース側規制部の左右側面とをテーパー状に形成したことを特徴とする請求項１に記載の操作ボタンの高さ位置規制構造。
【請求項３】
嵌合時に接触する前記ボタン側規制部の接触面全体と前記ベース側規制部の接触面全体とを縦断面Ｖ字状に形成し、これにより双方の規制部の左右側面をテーパー状に形成したことを特徴とする請求項２に記載の操作ボタンの高さ位置規制構造。
【請求項４】
嵌合時に接触する前記ボタン側規制部の接触面または前記ベース側規制部の接触面の少なくとも一方の接触面全体を弾性材により形成したことを特徴とする請求項１〜請求項３のいずれか１項に記載の操作ボタンの高さ位置規制構造。
【発明の詳細な説明】
【技術分野】
【０００１】
本件発明は、例えば、車両のオーディオシステムやナビゲーションシステムを操作する際に用いられるプッシュ式の操作ボタンの高さ位置規制構造に関する。
【背景技術】
【０００２】
従来、車両には、オーディオシステムやナビゲーションシステムを操作するために、コントロールユニットが設けられている。このコントロールユニットは、ベースと、複数の操作ボタンとを備えている。これらの複数の操作ボタンは、ベースに収容されている。
【０００３】
操作ボタンとしては、例えば、特許文献１に記載されているプッシュ式の操作ボタン（図１参照）が知られている。この操作ボタンは、押し下げられた状態から戻る際に、摺動体１４の係合突出片１８Ａのテーパー面１００がハウジング１０内のストッパ２０の角部２００に線接触して摺動体１４の移動が止められることにより、元の高さ位置に位置する。このような規制構造によって、操作ボタンは、復帰時の打音が小さくかつ澄んだ音になることが可能になっている。
【特許文献１】実開平６−２６１２５号公報
【発明の開示】
【発明が解決しようとする課題】
【０００４】
しかしながら、従来の規制構造では、操作ボタンの復帰時に摺動体１４をストッパ２０に線接触させているだけであるため、操作ボタンがガタついてしまう問題があった。
【０００５】
本件発明は、かかる従来の課題に鑑みてなされたものであり、プッシュ式の操作ボタンの復帰時のガタツキを防止することができる操作ボタンの高さ位置規制構造を提供することを目的とする。
【課題を解決するための手段】
【０００６】
前記課題を解決するために本件発明の請求項１に記載の操作ボタンの高さ位置規制構造は、プッシュ式の操作ボタンのスライド部の外側面に設けられたボタン側規制部と、前記スライド部を上下方向に摺動可能に保持するベースの収容部の内側面に設けられ、押し下げられた前記スライド部が元の高さ位置に戻る際に、前記ボタン側規制部と上下方向で当接して当該スライド部の動きを止めるベース側規制部と、を備えている操作ボタンの高さ位置規制構造であって、前記ボタン側規制部および前記ベース側規制部を上下方向で嵌合する形状に形成したことを特徴としている。
【０００７】
かかる構成においては、操作ボタンの復帰時にボタン側規制部がベース側規制部に嵌合することにより操作ボタンの高さ位置が規制される。このため、請求項１に記載の規制構造は、従来の線接触による規制構造に比べて、操作ボタンの規制力が強くなる。
【０００８】
また、本件発明の請求項２に記載の操作ボタンの高さ位置規制構造は、請求項１に記載の操作ボタンの高さ位置規制構造において、嵌合時に接触する前記ボタン側規制部の左右側面と前記ベース側規制部の左右側面とをテーパー状に形成したことを特徴としている。
【０００９】
かかる構成においては、双方の規制部の左右側面がテーパー状に形成されていない場合に比べて、外嵌している方の規制部の挟持力が小さくなる。このため、操作ボタンの押下時には、ボタン側規制部をベース側規制部からスムーズに抜くことが可能になる。
【００１０】
また、本件発明の請求項３に記載の操作ボタンの高さ位置規制構造は、請求項２に記載の操作ボタンの高さ位置規制構造において、嵌合時に接触する前記ボタン側規制部の接触面全体と前記ベース側規制部の接触面全体とを縦断面Ｖ字状に形成し、これにより双方の規制部の左右側面をテーパー状に形成したことを特徴としている。
【００１１】
かかる構成においては、簡単な構成で、操作ボタンの押下時にボタン側規制部をベース側規制部からスムーズに抜くことが可能になる。
【００１２】
また、本件発明の請求項４に記載の操作ボタンの高さ位置規制構造は、請求項１〜請求項３のいずれか１項に記載の操作ボタンの高さ位置規制構造において、嵌合時に接触する前記ボタン側規制部の接触面または前記ベース側規制部の接触面の少なくとも一方の接触面全体を弾性材により形成したことを特徴としている。
【００１３】
かかる構成においては、操作ボタンの復帰時に、ボタン側規制部がベース側規制部に嵌合する際の衝撃が和らげられる。
【発明の効果】
【００１４】
本件発明の請求項１に記載の操作ボタンの高さ位置規制構造は、操作ボタンの復帰時にボタン側規制部がベース側規制部に嵌合して操作ボタンの高さ位置が規制されるため、従来の線接触による規制構造に比べて、操作ボタンの規制力が強くなる。よって、請求項１に記載の操作ボタンの高さ位置規制構造は、プッシュ式の操作ボタンの復帰時のガタツキを防止することができる。
【００１５】
さらに、本件発明の請求項２に記載の操作ボタンの高さ位置規制構造は、嵌合時に接触するボタン側規制部の左右側面とベース側規制部の左右側面とをテーパー状に形成した。これにより、双方の規制部の左右側面がテーパー状に形成されていない場合に比べて、外嵌している方の規制部の挟持力が小さくなる。このため、操作ボタンの押下時には、ボタン側規制部をベース側規制部からスムーズに抜くことが可能になる。よって、請求項２に記載の操作ボタンの高さ位置規制構造は、操作ボタンの押下操作性を高めつつ復帰時のガタツキを防止することができる。
【００１６】
さらに、本件発明の請求項３に記載の操作ボタンの高さ位置規制構造は、嵌合時に接触するボタン側規制部の接触面全体とベース側規制部の接触面全体とを縦断面Ｖ字状に形成した。これにより、簡単な構成でボタン側規制部をベース側規制部からスムーズに抜くことが可能になる。よって、請求項３に記載の操作ボタンの高さ位置規制構造は、低コスト化を図りながら、操作ボタンの押下操作性を高めつつ復帰時のガタツキを防止することができる。
【００１７】
また、本件発明の請求項４に記載の操作ボタンの高さ位置規制構造は、ボタン側規制部の接触面全体とベース側規制部の接触面全体の少なくとも一方を弾性材により形成した。これにより、操作ボタンの復帰時に、ボタン側規制部がベース側規制部に嵌合する際の衝撃が和らげられる。よって、請求項４に記載の操作ボタンの高さ位置規制構造は、操作ボタンの復帰時の打音を小さくすることができる。
【発明を実施するための最良の形態】
【００１８】
以下、本件発明の実施の形態を図にしたがって説明する。
【００１９】
図１は、本件発明の一実施の形態を示すコントロールユニット１０の斜視図である。このコントロールユニット１０は、車両のオーディオシステムを操作する際に用いられる。このコントロールユニット１０は、複数のプッシュ式の操作ボタン１と、ベース２とを備えている。
【００２０】
図２に示すように、操作ボタン１は、操作ノブ１１と、スライド部１２とを備えている。操作ノブ１１は、乗員がオーディオの操作を行う部分である。この操作ノブ１１は樹脂製であって、四角型のキャップ状に形成されている。操作ノブ１１の上面１１ａには、操作内容を示す透光性の文字や記号が設けられている。
【００２１】
スライド部１２は、ベース２に保持される部分である。このスライド部１２は樹脂製であって、四角型の筒状に形成されている。スライド部１２の上面および下面は開口している。スライド部１２の上部には操作ノブ１１が外嵌して取り付けられている。
【００２２】
図３は図２の前面図、図４は図２の後面図、図５は図２の左側面図、図６は図２の右側面図である。図３〜図６に示すように、スライド部１２の各外側面１２ａ〜１２ｄには、レール部１２１が設けられている。前後の外側面１２ａ、１２ｂのレール部１２１、１２１は対向して配置されており、左右の外側面１２ｃ、１２ｄのレール部１２１、１２１は対向して配置されている。
【００２３】
各レール部１２１は、各外側面１２ａ〜１２ｄの中央部分から突出して形成されている。さらに、各レール部１２１は、上下方向（操作ボタン１の押下方向Ａと戻り方向Ｂ）に延びるように形成されている。
【００２４】
図３や図４に示すように、スライド部１２の前後の外側面１２ａ、１２ｂの各々には、レール部１２１の左側に横リブ１２２が設けられている。各横リブ１２２の上面には、ボタン側規制部１２３が設けられている。
【００２５】
図５や図６に示すように、スライド部１２の左右の外側面１２ｃ、１２ｄの各々には、レール部１２１の後側に横リブ１２２が設けられている。各横リブ１２２の上面には、ボタン側規制部１２３が設けられている。
【００２６】
このように、スライド部１２の各外側面１２ａ〜１２ｄには、ボタン側規制部１２３が設けられている。前後のボタン側規制部１２３、１２３は対向して配置されており、左右のボタン側規制部１２３、１２３は対向して配置されている。ボタン側規制部１２３は、横リブ１２２の上面から断面三角形状に突出して形成されている。また、図７に示すように、スライド部１２の下部には、複数の押しピン１２４が設けられている。
【００２７】
一方、ベース２は、複数の収容部２１を備えている。図２に示すように、収容部２１は、操作ボタン１のスライド部１２を上下方向に摺動可能に保持する部分である。以下に、収容部２１の構造について説明する。
【００２８】
収容部２１は樹脂製であって、スライド部１２を収容するように四角型の筒状に形成されている。収容部２１の前面と後面は開口されている。収容部２１の内側面の各々には、レール部２１１が設けられている。各レール部２１１は、上下方向に延びるように溝状に形成されている。各レール部２１１内には、スライド部１２のレール部１２１がスライド可能に嵌合している。
【００２９】
図３や図４に示すように、収容部２１の前後の内側面２１ａ、２１ｂの各々には、レール部２１１の左側に横リブ２１２が設けられている。各横リブ２１２、２１２の下面には、ベース側規制部２１３が設けられている。
【００３０】
図５や図６に示すように、収容部２１の左右の内側面２１ｃ、２１ｄの各々には、レール部２１１の後側に横リブ２１２が設けられている。各横リブ２１２、２１２の下面には、ベース側規制部２１３が設けられている。
【００３１】
このように、収容部２１の各内側面２１ａ〜２１ｄには、ベース側規制部２１３が設けられている。ベース側規制部２１３は、横リブ２１２の下面から上方に断面Ｖ字状に凹んで形成されている。各ベース側規制部２１３は、対応するボタン側規制部１２３に嵌合している。そして、以上のように説明した四つのボタン側規制部１２３と、四つのベース側規制部２１３とにより、本件発明の操作ボタン１の高さ位置規制構造が構成されている。
【００３２】
一方、図２に示すように、ベース２の下側には基板３が設置されている。図３〜図７に示すように、基板３の上面には、ＬＥＤ等の複数の光源４と、複数のタクトスィッチ５とが設けられている。各光源４は、各収容部２１内に位置しており、操作ノブ１１の上面１１ａを照らすように構成されている。各タクトスィッチ５は、各スライド部１２の押しピン１２４、１２４の下方に配置されている（図７参照）。
【００３３】
以上のように構成されているコントロールユニット１０において、次に、操作ボタン１の操作に伴うスライド部１２の動きについて説明する。図７から図８にかけて示すように、乗員の指によって操作ノブ１１が押し下げられると、ボタン側規制部１２３がベース側規制部２１３から抜けてスライド部１２が下方Ａへ移動して、押しピン１２４、１２４がタクトスィッチ５を押す。これにより、操作ノブ１１の上面に表示されている所定の動作が行われる。
【００３４】
その後、乗員の指が操作ノブ１１から離れると、図８から図７にかけて示すように、スライド部１２は上方Ｂへ移動し、ボタン側規制部１２３がベース側規制部２１３内に入って嵌合する。これにより、スライド部１２の動きが止められて操作ボタン１の高さ位置が規制される。
【００３５】
このように本実施の形態の操作ボタン１の高さ位置規制構造では、操作ボタン１の復帰時に、ボタン側規制部１２３がベース側規制部２１３に嵌合することにより操作ボタン１の高さ位置が規制される。このため、この規制構造は、従来の線接触による規制構造に比べて、操作ボタン１の規制力が強くなる。よって、本実施の形態の操作ボタン１の高さ位置規制構造は、操作ボタン１の復帰時のガタツキを防止することができる。
【００３６】
また、本実施の形態では、ボタン側規制部１２３の左右側面１２３ａ、１２３ａと、ベース側規制部２１３の左右側面２１３ａ、２１３ａとが、テーパー状に形成されている。したがって、双方の規制部の左右側面がテーパー状に形成されていない場合に比べて、外嵌している方のベース側規制部２１３の挟持力が小さくなる。このため、操作ボタン１の押下時には、ベース側規制部２１３からボタン側規制部１２３をスムーズに抜くことが可能になる。よって、本実施の形態の操作ボタン１の高さ位置規制構造は、操作ボタン１の押下操作性を高めつつ復帰時のガタツキを防止することができる。
【００３７】
また、ボタン側規制部１２３の左右側面１２３ａ、１２３ａと、ベース側規制部２１３の左右側面２１３ａ、２１３ａは縦断面Ｖ字状に形成されており、しかも嵌合時に接触する接触面全体を構成している。このことから、ボタン側規制部１２３とベース側規制部２１３を簡単に構成するだけで、ベース側規制部２１３からボタン側規制部１２３をスムーズに抜くことが可能になる。よって、本実施の形態の操作ボタン１の高さ位置規制構造は、低コスト化を図ることもできる。
【００３８】
さらに、ボタン側規制部１２３およびベース側規制部２１３は、前後と左右に対向して配置されているため、操作ボタン１の高さ位置を確実に安定して規制することができる。よって、本実施の形態の操作ボタン１の高さ位置規制構造は、操作ボタン１の復帰時のガタツキ防止性をさらに向上させることができる。
【００３９】
なお、本実施の形態では、ボタン側規制部１２３の接触面（左右側面）１２３ａ、１２３ａと、ベース側規制部２１３の接触面（左右側面）２１３ａ、２１３ａとを縦断面Ｖ字状に形成したが、双方の接触面の形状は本実施の形態に限定される必要はなく、縦断面台形状等、テーパー状に形成されていれば良い。この場合でも、ベース側規制部からボタン側規制部をスムーズに抜くことが可能になるので、本実施の形態と同様に、操作ボタン１の押下操作性を高めつつ復帰時のガタツキを防止することができる。
【００４０】
また、双方の規制部の形状は、少なくとも、ボタン側規制部がベース側規制部に対して挿入または抜出可能な範囲で、双方の規制部が上下方向で嵌合する形状であれば良い。例えば、ボタン側規制部を凹状に形成して、ベース側規制部を凸状に形成しても良い。この場合でも、従来の線接触による規制構造に比べて、操作ボタンの規制力が強くなるので、操作ボタンの復帰時のガタツキを防止することができる。
【００４１】
また、ベース側規制部２１３をゴムで形成したことにより、ボタン側規制部１２３との接触面（左右側面）全体２１３ａもゴムで形成されている。これにより、ボタン側規制部１２３がベース側規制部２１３に嵌合する際の衝撃が和らげられる。よって、本実施の形態の操作ボタン１の高さ位置規制構造は、操作ボタン１の復帰時の打音を小さくできる。
【００４２】
なお、本実施の形態では、ベース側規制部２１３の方をゴムで形成したが、少なくとも双方の規制部１２３、２１３の一方をゴムで形成すれば、操作ボタン１の復帰時の打音を小さくすることができる。また、ボタン側規制部１２３の接触面１２３ａまたはベース側規制部２１３の接触面２１３ａの少なくとも一方の接触面全体にゴム材を貼付しても良い。この場合でも、操作ボタン１の復帰時の打音を小さくすることができる。また、打音を小さくするためにゴム材に限定する必要はなく、他の弾性材を使用しても良い。
【００４３】
以上、本件発明にかかる実施の形態を例示したが、この実施の形態は本件発明の内容を限定するものではない。また、本件発明の請求項の範囲を逸脱しない範囲であれば、各種の変更等は可能である。
【産業上の利用可能性】
【００４４】
以上説明したように本件発明の操作ボタンの高さ位置規制構造は、プッシュ式の操作ボタンの復帰時のガタツキを防止することができる。したがって、本件発明をプッシュ式の操作ボタンの技術分野で十分利用することができる。
【図面の簡単な説明】
【００４５】
【図１】本件発明の一実施の形態を示すコントロールユニットの斜視図である。
【図２】同実施の形態の操作ボタンを中心とした要部の透視斜視図である。
【図３】図２の前面図である。
【図４】図２の後面図である。
【図５】図２の左側面図である。
【図６】図２の右側面図である。
【図７】同実施の形態の操作ボタンを中心とした要部の縦断面図である。
【図８】図７の状態から押下操作した状態を示す縦断面図である。
【符号の説明】
【００４６】
１    操作ボタン
２    ベース
１２    スライド部
１２ａ    前外側面
１２ｂ    後外側面
１２ｃ    左外側面
１２ｄ    右外側面
２１    収容部
２１ａ    前内側面
２２ｂ    後内側面
２２ｃ    左内側面
２２ｄ    右内側面
１２３    ボタン側規制部
１２３ａ    左右側面
２１３    ベース側規制部
２１３ａ    左右側面
【図１】
2009152139.tif 000003
【図２】
2009152139.tif 000004
【図３】
2009152139.tif 000005
【図４】
2009152139.tif 000006
【図５】
2009152139.tif 000007
【図６】
2009152139.tif 000008
【図７】
2009152139.tif 000009
【図８】
2009152139.tif 000010